(57)【要約】【課題】複数の発光素子を光源として有する画像形成装置において、印字速度、印刷速度の更なる高速化を達成する【解決手段】ＴＦＴ回路６２がガラス基板５０に形成され、ソースドライバ６１からのソースドライバ信号線がＴＦＴ回路６２の下縁Ｌ側から接続され、ゲートコントローラからの発光制御信号線とプログラム制御信号線が、ＴＦＴ回路６２の上縁Ｕ側から接続される。このため、信号線間の容量成分が減少し、素子駆動のプログラム時間が短縮される。【選択図】図１２
2007283596.tif 000002
【特許請求の範囲】
【請求項１】
複数の発光素子を駆動する発光素子駆動装置であって、
前記発光素子と、当該発光素子を含む複数の駆動エレメントから構成されるドライバ回路が形成された駆動回路基板と、
前記駆動エレメントの各々に接続され、第１の信号を各駆動エレメントに入力する複数の第１の信号線と、
前記駆動エレメントの各々に接続され、第２の信号を各駆動エレメントに入力する複数の第２の信号線と、を備え、
前記第１の信号線と前記第２の信号線が、前記ドライバ回路から見て異なる方向から、当該ドライバ回路に接続されている発光素子駆動装置。
【請求項２】
請求項１記載の発光素子駆動装置であって、
前記第１の信号線と前記第２の信号線が、前記ドライバ回路の互いに相対する縁部の方向から、前記駆動エレメントに接続されている発光素子駆動装置。
【請求項３】
請求項１記載の発光素子駆動装置であって、
前記ドライバ回路に接続され、電源からの電流を供給する電源線及びグランド線を更に備え、
前記第１の信号線と、前記電源線及び前記グランド線の少なくとも一方が交差するクロスポイントにおいて、前記第１の信号線と前記電源線の少なくとも一方の線幅、または前記第１の信号線と前記グランド線の少なくとも一方の線幅が、他の部分の線幅より相対的に小さく設定されている発光素子駆動装置。
【請求項４】
請求項１記載の発光素子駆動装置であって、
前記第１の信号線と前記第２の信号線の少なくとも一方における複数の信号線において、信号源からの線長が大きい信号線ほど、線幅が大きく設定されている発光素子駆動装置。
【請求項５】
請求項１記載の発光素子駆動装置であって、
前記第１の信号線が外部のＩＣ回路に接続され、前記発光素子を駆動する駆動電流または駆動電圧を入力するドライバ信号線である発光素子駆動装置。
【請求項６】
請求項５記載の発光素子駆動装置であって、
前記複数の発光素子から構成される発光素子列の略中央部に位置するよう、前記ＩＣ回路が前記ドライバ回路に対し相対的に配置された発光素子駆動装置。
【請求項７】
請求項５記載の発光素子駆動装置であって、
前記ＩＣ回路が複数用意され、前記複数の発光素子から構成される発光素子列を当該ＩＣ回路の数により分割することにより生成される素子ブロックの各々の略中央部に位置するよう、前記複数のＩＣ回路が前記ドライバ回路に対し、相対的に配置された発光素子駆動装置。
【請求項８】
請求項１記載の発光素子駆動装置であって、
前記駆動エレメントの各々に接続され、第３の信号を各駆動エレメントに入力する複数の第３の信号線を更に備え、
当該第３の信号線は、前記第１の信号線と前記第２の信号線のうちいずれか一方と同じ方向から当該ドライバ回路に接続されている発光素子駆動装置。
【請求項９】
請求項８記載の発光素子駆動装置であって、
前記第１の信号線が外部のＩＣ回路に接続され、前記発光素子を駆動する駆動電流または駆動電圧を入力するドライバ信号線であり、前記第２の信号線及び前記第３の信号線のうち一方が、発光素子のオン・オフを制御する発光制御信号線と、前記駆動電流または駆動電圧を設定するプログラム制御信号線のいずれか一つである発光素子駆動装置。
【請求項１０】
請求項９記載の発光素子駆動装置であって、
前記複数の発光素子から構成される発光素子列の略中央部に位置するよう、前記ＩＣ回路が前記ドライバ回路に対し相対的に配置された発光素子駆動装置。
【請求項１１】
請求項９記載の発光素子駆動装置であって、
前記ＩＣ回路が複数用意され、前記複数の発光素子から構成される発光素子列を当該ＩＣ回路の数により分割することにより生成される素子ブロックの各々の略中央部に位置するよう、前記複数のＩＣ回路が前記ドライバ回路に対し、相対的に配置された発光素子駆動装置。
【請求項１２】
請求項１ないし１１のいずれか１項記載の発光素子駆動装置であって、
前記駆動回路基板がガラス基板より構成され、前記ドライバ回路が前記ガラス基板上にＴＦＴ回路として構成される発光素子駆動装置。
【請求項１３】
請求項１ないし１２のいずれか１項記載の発光素子駆動装置であって、
前記駆動エレメントが、前記駆動回路基板上において、実質的に一直線上に形成された発光素子駆動装置。
【請求項１４】
複数の発光素子を駆動する発光素子駆動装置であって、
前記発光素子と、当該発光素子を含む複数の駆動エレメントから構成されるドライバ回路が形成された駆動回路基板と、
前記駆動エレメントの各々に接続され、第１の信号を各駆動エレメントに入力する複数の第１の信号線と、
前記駆動エレメントの各々に接続され、第２の信号を各駆動エレメントに入力する複数の第２の信号線と、を備え、
前記第１の信号線と前記第２の信号線が交差するクロスポイントにおいて、前記第１の信号線と前記第２の信号線の少なくとも一方の線幅が、他の部分の線幅より相対的に小さく設定されている発光素子駆動装置。
【請求項１５】
複数の発光素子を駆動する発光素子駆動装置であって、
前記複数の発光素子を配置した発光素子列と、当該発光素子列に沿って設けられ前記発光素子を駆動する複数の駆動エレメントから構成されるドライバ回路と、
前記駆動エレメントの各々に接続され、前記駆動エレメントの動作を制御する信号線と、を備え、
前記信号線を前記発光素子列と前記ドライバ回路の間に配置した発光素子駆動装置。
【請求項１６】
電気的にアクティブマトリクスを構成する発光素子駆動装置であって、
複数の発光素子と、
各発光素子に対応して設けられ、前記発光素子を駆動する駆動エレメントと、
当該駆動エレメントに前記発光素子の駆動条件を設定する第１の信号線と、
前記駆動エレメントの動作を制御する第２の信号線と、を備え、
前記第１の信号線と前記第２の信号線を交差しないように構成した発光素子駆動装置。
【請求項１７】
請求項１ないし１６のいずれか１項記載の発光素子駆動装置であって、
前記発光素子が有機エレクトロルミネッセンス素子により構成された発光素子駆動装置。
【請求項１８】
請求項１ないし１７のいずれか１項記載の発光素子駆動装置を含む画像形成装置。
【発明の詳細な説明】
【技術分野】
【０００１】
本発明は発光素子をライン状に配置して構成された発光素子列を有する画像形成装置用の駆動回路及びそのような駆動回路を使用した画像形成装置に関する。
【背景技術】
【０００２】
予め所定の電位に帯電した感光体を画像情報に応じて露光して静電潜像を形成し、この静電潜像をトナーにより現像し、顕画化されたトナー像を記録紙に転写、加熱定着して画像を得る、いわゆる電子写真プロセスを応用した画像形成装置に用いられる露光装置として、レーザダイオードを光源とした光ビームをポリゴンミラーと呼称される回転多面鏡を介して感光体上を走査して静電潜像を形成する方式と、発光ダイオード（以降ＬＥＤと呼称する）や有機エレクトロルミネッセンス材料を用いて構成した発光素子をライン状に配置した発光素子列を用いて各発光部を個別に点灯（ＯＮ／ＯＦＦ）制御して感光体上に静電潜像を形成する方式が知られている。
【０００３】
一般にＬＥＤや有機エレクトロルミネッセンス材料を用いた発光素子列を構成要素として含む露光装置は、感光体のごく近傍で各発光素子を選択的に点灯して感光体上に露光光を照射するので、これらを搭載した画像形成装置はレーザダイオードを用いた画像形成装置における回転多面鏡のような可動部がなく信頼性、静粛性が高く、またレーザダイオードの出射光を感光体に導く光学系や、光の経路となる大きな光学的空間が不要で画像形成装置を小型化することが可能である。
【０００４】
特に発光素子として有機エレクトロルミネッセンス素子を搭載した露光装置は、ガラスなどの基板上に薄膜トランジスタ（Thin Film Transistor；以降ＴＦＴと呼称する）から成るスイッチング素子で構成される駆動回路と有機エレクトロルミネッセンス素子を一体として形成できるため、構造、製造工程がシンプルであり、発光素子としてＬＥＤを搭載した露光装置と比較して更なる小型化、低コスト化を実現できる可能性がある。
【０００５】
また、有機エレクトロルミネッセンス素子はその駆動に伴って発光輝度が徐々に低下する、いわゆる光量劣化が発生することが知られている。特に一般的なディスプレイ装置などに応用される有機エレクトロルミネッセンス素子と異なり、電子写真装置などの画像形成装置に搭載される露光装置に応用される有機エレクトロルミネッセンス素子には、非常に高い発光輝度が要求され、光量劣化の影響を受けやすい。このため、個々の有機エレクトロルミネッセンス素子の露光量を初期と同等の状態に維持するために何らかの露光量補正が必要とされている。
【０００６】
上述のような構成を有する画像形成装置に対しては、安定した動作下での印字速度、印刷速度の更なる高速化が求められている。そして、個々の有機エレクトロルミネッセンス素子に駆動のためのプログラム動作が、各素子のドライバ回路に書き込まれるのが一般的である。このような構成下で安定した装置の動作、高速な動作を確保するためには、各ドライバ回路への速やかなプログラム動作の書き込みが重要なものとなる。
【０００７】
特許文献１では、アクティブマトリクス型の表示装置において、ソース信号線の浮遊容量や配線抵抗の影響により、コンデンサ（蓄積容量）への電荷チャージが正常に行うことができない問題が提示されている。このような問題に対し、ソース信号線に電圧を印加する手段と、所定の電流を流す手段と、これら２つの手段を切り替える切り替え手段を設けることにより、プログラム時間を短縮し、表示性能を改善する技術が提案されている。
【特許文献１】特開２００３−６６９０８号公報
【発明の開示】
【発明が解決しようとする課題】
【０００８】
しかしながら、上述のような技術においては素子駆動回路の複雑化が不可避であり、結果的に製造工程の複雑化、コスト上昇を招くこととなる。
【０００９】
本発明は、簡易な構成にて、安定した動作下での印字速度、印刷速度の更なる高速化を達成し得る画像形成装置の発光素子の駆動装置、及びそのような駆動装置を利用した画像形成装置を提供することを目的とする。
【課題を解決するための手段】
【００１０】
本発明は複数の発光素子と、当該発光素子を含む駆動する発光素子駆動装置を提供し、当該装置は、前記発光素子を含む複数の駆動エレメントから構成されるドライバ回路が形成された駆動回路基板と、前記駆動エレメントの各々に接続され、第１の信号を各駆動エレメントに入力する複数の第１の信号線と、前記駆動エレメントの各々に接続され、第２の信号を各駆動エレメントに入力する複数の第２の信号線と、を備え、前記第１の信号線と前記第２の信号線が、前記ドライバ回路から見て異なる方向から、当該ドライバ回路に接続されている。
【００１１】
本発明の発光素子駆動装置においては、二種の信号線が、ドライバ回路から見て異なる方向からドライバ回路に接続されている。そのため、信号線間に発生しうる容量成分を減らすことができ、プログラム時間の短縮が期待でき、画像形成装置の高速動作が達成される。
【００１２】
また、前記第１の信号線と前記第２の信号線が、前記ドライバ回路の互いに相対する縁部の方向から、前記駆動エレメントに接続されているよう、発光素子駆動装置を構成できる。互いに逆方向から二種の信号線がドライバ回路に接続されるため、より確実に容量成分の発生を防止することができる。
【００１３】
また、発光素子駆動装置は、前記ドライバ回路に接続され、電源からの電流を供給する電源線及びグランド線を更に備えており、前記第１の信号線と電源線及び前記グランド線の少なくとも一方が交差するクロスポイントにおいて、前記第１の信号線と前記電源線の少なくとも一方の線幅、または前記第１の信号線と前記グランド線の少なくとも一方の線幅を、他の部分の線幅より相対的に小さく設定してもよい。この場合も、上述の構成と同様な効果が期待できる。
【００１４】
さらに、前記第１の信号線と前記第２の信号線の少なくとも一方における複数の信号線において、信号源からの線長が大きい信号線ほど、線幅を大きく設定してもよい。この場合、線長が大きい信号ほど単位長さ辺りの配線抵抗が小さくなるため、線長が異なる信号線が混在しても、全信号線の配線抵抗を同等にそろえることができ、結果的にプログラム時間の短縮を図ることができる。
【００１５】
また、前記駆動エレメントの各々に接続され、第３の信号を各駆動エレメントに入力する複数の第３の信号線を更に設け、当該第３の信号線は、前記第１の信号線と前記第２の信号線のうちいずれか一方と同じ方向から当該ドライバ回路に接続されているよう、発光素子駆動装置を構成しても良い。この場合、例えば、前記第１の信号線が外部のＩＣ回路に接続され、前記発光素子を駆動する駆動電流または駆動電圧を入力するドライバ信号線であり、前記第２の信号線及び前記第３の信号線のうち一方が、発光素子のオン・オフを制御する発光制御信号線と、前記駆動電流または駆動電圧を設定するプログラム制御信号線のいずれか一つである。また、前記複数の発光素子から構成される発光素子列の略中央部に位置するよう、前記ＩＣ回路を前記ドライバ回路に対し相対的に配置することが好ましい。さらには、前記ＩＣ回路が複数用意された場合、前記複数の発光素子から構成される発光素子列を当該ＩＣ回路の数により分割することにより生成される素子ブロックの各々の略中央部に位置するよう、前記複数のＩＣ回路を前記ドライバ回路に対し、相対的に配置することが好ましい。
【００１６】
前記駆動回路基板をガラス基板より構成し、前記ドライバ回路を前記ガラス基板上にＴＦＴ回路として構成することが好ましい。
【００１７】
また、前記駆動エレメントが、前記駆動回路基板上において、実質的に一直線上に形成されている場合、信号線が交差する確率が高くなるため、本発明の効果は高い。
【００１８】
また、他の観点から提供される本発明の発光素子駆動装置は、複数の発光素子を駆動する発光素子駆動装置であって、前記発光素子と、当該発光素子を含む複数の駆動エレメントから構成されるドライバ回路が形成された駆動回路基板と、前記駆動エレメントの各々に接続され、第１の信号を各駆動エレメントに入力する複数の第１の信号線と、前記駆動エレメントの各々に接続され、第２の信号を各駆動エレメントに入力する複数の第２の信号線と、を備え、前記第１の信号線と前記第２の信号線が交差するクロスポイントにおいて、前記第１の信号線と前記第２の信号線の少なくとも一方の線幅が、他の部分の線幅より相対的に小さく設定されている。
【００１９】
この発光素子駆動装置においては、二種の信号線のクロスポイントにおいて、少なくとも一方の線の幅が小さく設定されている。そのため、信号線間に発生しうる容量成分を減らすことができ、プログラム時間の短縮が期待でき、画像形成装置の高速動作が達成される。
【００２０】
また、他の観点から提供される本発明の発光素子駆動装置は、複数の発光素子を駆動する発光素子駆動装置であって、前記複数の発光素子を配置した発光素子列と、当該発光素子列に沿って設けられ前記発光素子を駆動する複数の駆動エレメントから構成されるドライバ回路と、前記駆動エレメントの各々に接続され、前記駆動エレメントの動作を制御する信号線と、を備え、前記信号線を前記発光素子列と前記ドライバ回路の間に配置したものである。
【００２１】
更に他の観点から提供される本発明の発光素子駆動装置は、電気的にアクティブマトリクスを構成する発光素子駆動装置であって、複数の発光素子と、各発光素子に対応して設けられ、前記発光素子を駆動する駆動エレメントと、当該駆動エレメントに前記発光素子の駆動条件を設定する第１の信号線と、前記駆動エレメントの動作を制御する第２の信号線と、を備え、前記第１の信号線と前記第２の信号線を交差しないように構成したものである。
【００２２】
上述の総ての発光素子駆動装置において、発光素子としては有機エレクトロルミネッセンス素子が適用可能である。また、本発明の発光素子駆動装置は、画像形成装置に好ましくは適用される。
【発明の効果】
【００２３】
本発明の発光素子駆動装置においては、信号線間に発生しうる容量成分を減らすことができる。従って、素子駆動のプログラム時間の短縮が期待され、安定した動作下での印字速度、印刷速度の更なる高速化を達成し得る画像形成装置が提供される。
【発明を実施するための最良の形態】
【００２４】
以下、本発明の基本となる構成に関する実施形態を、図面を用いて説明する。
【００２５】
図１は本発明の実施形態に係る画像形成装置の構成図である。図１において、画像形成装置１は装置内にイエロー現像ステーション２Ｙ、マゼンタ現像ステーション２Ｍ、シアン現像ステーション２Ｃ、ブラック現像ステーション２Ｋの４色分の現像ステーションを縦方向に階段状に配列し、その上方には記録媒体である記録紙３が収容される給紙トレイ４を配設すると共に、各現像ステーション２Ｙ〜２Ｋ に対応した箇所には給紙トレイ４から供給された記録紙３の搬送路となる記録紙搬送路５を上方から下方の縦方向に構成したものである。
【００２６】
現像ステーション２Ｙ〜２Ｋは記録紙搬送路５の上流側から順に、イエロー、マゼンタ、シアン、ブラックのトナー像を形成するものであり、イエロー現像ステーション２Ｙは感光体８Ｙ、マゼンタ現像ステーション２Ｍには感光体８Ｍ、シアン現像ステーション２Ｃには感光体８Ｃ、ブラック現像ステーション２Ｋには感光体８Ｋが含まれ、更に各現像ステーション２Ｙ〜２Ｋには後に説明する現像スリーブ、帯電器など、一連の電子写真方式における現像プロセスを実現する部材が含まれている。
【００２７】
更に各現像ステーション２Ｙ〜２Ｋの下部には感光体８Ｙ〜８Ｋの表面を露光して静電潜像を形成するための露光装置１３Ｙ、１３Ｍ、１３Ｃ、１３Ｋが配置されている。
【００２８】
現像ステーション２Ｙ〜２Ｋは充填された現像剤の色が異なっているが、構成は現像色に関わらず同一であるため、以降の説明を簡単にするため特に明示する必要がある場合を除いて現像ステーション２、感光体８、露光装置１３のごとく特定の色を明示せずに説明する。
【００２９】
図２は本発明の画像形成装置１における現像ステーション２の周辺を示す構成図である。図２において、現像ステーション２の内部にはキャリアとトナーの混合物である現像剤６が充填されている。７ａ、７ｂは現像剤６を攪拌する攪拌パドルであり、攪拌パドル７ａと７ｂの回転によって現像剤６中のトナーはキャリアとの摩擦によって所定の電位に帯電されると共に、トナーとキャリアは現像ステーション２の内部を巡回することで十分に攪拌混合される。感光体８は図示しない駆動源によって方向Ｄ３に回転する。９は帯電器であり感光体８の表面を所定の電位に帯電する。１０は現像スリーブ、１１は薄層化ブレードである。現像スリーブ１０は内部に複数の磁極が形成されたマグネットロール１２を有している。薄層化ブレード１１によって現像スリーブ１０の表面に供給される現像剤６の層厚が規制されると共に、現像スリーブ１０は図示しない駆動源によって方向Ｄ４に回転し、この回転およびマグネットロール１２の磁極の作用によって現像剤６は現像スリーブ１０の表面に供給され、後述する露光装置１３によって感光体８に形成された静電潜像を現像するとともに、感光体８に転写されなかった現像剤６は現像ステーション２の内部に回収される。
【００３０】
尚、本実施形態においては、後述するように、発光素子（有機エレクトロルミネッセンス素子）の発光量を補正する所定のタイミングにて、現像ステーション２が水平方向に移動可能なように構成されている。この構成は図１６にて説明されているが、図２ででは、図１６で示された現像当接カム２１０、引っ張りバネ２１１、現像側バネかけボス２１２、本体側バネかけボス２１３の記載を省略している。
【００３１】
１３は露光装置である。露光装置１３は露光光源としての有機エレクトロルミネッセンス素子を６００ｄｐｉ（dot／inch）の解像度で列状に配置した発光素子列を有しており、帯電器９によって所定の電位に帯電した感光体８に対し、画像データに応じて選択的に有機エレクトロルミネッセンス素子をＯＮ／ＯＦＦすることで、最大Ａ４サイズの静電潜像を形成する。現像スリーブ１０に所定の電位（現像バイアス）を印加すると、この静電潜像部分と現像スリーブ１０の間に電位勾配が生じる。そして、現像スリーブ１０の表面に供給され、所定の電位に帯電している現像剤６中のトナーにクーロン力が作用し、感光体８には現像剤６のうちトナーのみが付着し、静電潜像が顕画化される。
【００３２】
後に詳細に説明するように露光装置１３には、有機エレクトロルミネッセンス素子の発光量を計測する光量計測手段として光量センサが設けられている。
【００３３】
１６は転写ローラである。転写ローラ１６は感光体８に対し記録紙搬送路５と対向する位置に設けられており、図示しない駆動源により方向Ｄ５に回転する。転写ローラ１６には所定の転写バイアスが印加されており、感光体８上に形成されたトナー像を、記録紙搬送路５を搬送されてきた記録紙３に転写する。
【００３４】
以降図１に戻って説明を続ける。
【００３５】
１７はトナーボトルであり、イエロー、マゼンタ、シアン、ブラックのトナーが格納されている。トナーボトル１７から各現像ステーション２Ｙ〜２Ｋには図示しないトナー搬送用のパイプが配設され、各現像ステーション２Ｙ〜２Ｋにトナーを供給している。
【００３６】
１８は給紙ローラであり、図示しない電磁クラッチを制御することで方向Ｄ１に回転し、給紙トレイ４に装填された記録紙３を記録紙搬送路５に送り出す。
【００３７】
給紙ローラ１８と最上流のイエロー現像ステーション２Ｙの転写部位との間に位置する記録紙搬送路５には、入口側のニップ搬送手段としてレジストローラ１９、ピンチローラ２０対が設けられている。レジストローラ１９、ピンチローラ２０対は、給紙ローラ１８により搬送された記録紙３を一時的に停止させ、所定のタイミングでイエロー現像ステーション２Ｙの方向に搬送する。この一時停止によって記録紙３の先端がレジストローラ１９、ピンチローラ２０対の軸方向と平行に規制され、記録紙３の斜行を防止する。
【００３８】
２１は記録紙通過検出センサである。記録紙通過検出センサ２１は反射型センサ（フォトリフレクタ）によって構成され、反射光の有無で記録紙３の先端および後端を検出する。
【００３９】
さて図示しない電磁クラッチによって動力伝達を制御しレジストローラ１９の回転を開始すると記録紙３は記録紙搬送路５に沿ってイエロー現像ステーション２Ｙの方向に搬送されるが、レジストローラ１９の回転開始のタイミングを起点として、各現像ステーション２Ｙ〜２Ｋの近傍に配置された露光装置１３Ｙ〜１３Ｋによる静電潜像の書込みタイミング、現像バイアスのＯＮ／ＯＦＦ、転写バイアスのＯＮ／ＯＦＦなどがそれぞれ独立して制御される。
【００４０】
以降図２を用いて説明を続ける。
【００４１】
図２に示す露光装置１３から現像領域（感光体８と現像スリーブ１０の間隔が最も狭い部位の近傍）までの距離は設計事項であるから、例えば露光装置１３による露光を開始して感光体８上に形成された潜像が現像領域に到達する時間も設計事項である。
【００４２】
本実施形態ではレジストローラ１９の回転開始のタイミングを起点として、後に説明するように複数ページを連続して印字する際に、記録紙搬送路５を搬送される記録紙と記録紙の間（即ち紙間）において露光装置１３を構成する有機エレクトロルミネッセンス素子の光量を設定して点灯させるとともに、感光体８上に形成された潜像位置に対して現像バイアスをＯＦＦにするような制御を行なっている。
【００４３】
以降図１に戻って説明を続ける。
【００４４】
最下流のブラック現像ステーション２Ｋの更に下流側に位置する記録紙搬送路５には出口側のニップ搬送手段として定着器２３が設けられている。定着器２３は加熱ローラ２４と加圧ローラ２５から構成されている。
【００４５】
２７は加熱ローラ２４の温度を検出するための温度センサである。温度センサ２７は金属酸化物を主原料とし、高温で焼結して得られるセラミック半導体であり、温度に応じて負荷抵抗が変化することを応用して接触した対象物の温度を計測することができる。温度センサ２７の出力は後述するエンジン制御部４２に入力され、エンジン制御部４２は温度センサ２７の出力に基づいて加熱ローラ２４に内蔵された熱源（図示せず）に供給する電力を制御し、加熱ローラ２４の表面温度が約１７０゜Ｃとなるように制御する。
【００４６】
この温度制御がなされた加熱ローラ２４と加圧ローラ２５によって形成されるニップ部にトナー像が形成された記録紙３が通紙されると、記録紙３上のトナー像は加熱ローラ２４と加圧ローラ２５によって加熱および加圧され、トナー像が記録紙３上に定着される。
【００４７】
２８は記録紙後端検出センサであり、記録紙３の排出状況を監視するものである。３２はトナー像検出センサである。トナー像検出センサ３２は発光スペクトルの異なる複数の発光素子（共に可視光）と単一の受光素子を用いた反射型センサユニットであり、記録紙３の地肌と画像形成部分とで、画像色に応じて吸収スペクトルが異なることを利用して画像濃度を検出するものである。またトナー像検出センサ３２は画像濃度のみならず画像形成位置も検出できるため、実施形態における画像形成装置１ではトナー像検出センサ３２を画像形成装置１の幅方向に２ヶ所設け、記録紙３上に形成した画像位置ずれ量検出パターンの検出位置に基づき画像形成タイミングを制御している。
【００４８】
３３は記録紙搬送ドラムである。記録紙搬送ドラム３３は表面を２００μｍ程度の厚さのゴムで被覆した金属製ローラであり、定着後の記録紙３は記録紙搬送ドラム３３に沿って方向Ｄ２に搬送される。このとき記録紙３は記録紙搬送ドラム３３によって冷却されると共に、画像形成面と逆方向に曲げられて搬送される。これによって記録紙全面に高濃度の画像を形成した場合などに発生するカールを大幅に軽減することができる。その後、記録紙３は蹴り出しローラ３５によって方向Ｄ６に搬送され、排紙トレイ３９に排出される。
【００４９】
３４はフェイスダウン排紙部である。フェイスダウン排紙部３４は支持部材３６を中心に回動可能に構成され、フェイスダウン排紙部３４を開放状態にすると、記録紙３は方向Ｄ７に排紙される。このフェイスダウン排紙部３４は閉状態では記録紙搬送ドラム３３と共に記録紙３の搬送をガイドするように、背面に搬送経路に沿ったリブ３７が形成されている。
【００５０】
３８は駆動源であり、本実施形態ではステッピングモータを採用している。駆動源３８によって給紙ローラ１８、レジストローラ１９、ピンチローラ２０、感光体８Ｙ〜８Ｋ、および転写ローラ１６（図２参照）を含む各現像ステーション２Ｙ〜２Ｋの周辺部、定着器２３、記録紙搬送ドラム３３、蹴り出しローラ３５の駆動を行っている。
【００５１】
４１はコントローラであり外部のネットワークを介して図示しないコンピュータなどからの画像データを受信し、プリント可能な画像データを展開、生成する。後に詳細に説明するように、コントローラ４１に搭載されたコントローラＣＰＵ（図示せず）は露光装置1３Ｙ〜１３Ｋから発光素子である有機エレクトロルミネッセンス素子の光量の計測データを受け取り光量補正データの生成を行なう光量補正手段であるとともに、この光量補正データに基づき有機エレクトロルミネッセンス素子の光量を設定する光量設定手段でもある。
【００５２】
４２はエンジン制御部である。エンジン制御部４２は画像形成装置１のハードウェアやメカニズムを制御し、コントローラ４１から転送された画像データおよび光量補正データに基づいて記録紙３にカラー画像を形成すると共に、上述した定着器２３の加熱ローラ２４の温度制御を含む画像形成装置１の制御全般を行っている。
【００５３】
４３は電源部である。電源部４３は、露光装置１３Ｙ〜１３Ｋ、駆動源３８、コントローラ４１、エンジン制御部４２へ所定電圧の電力供給を行なうと共に、定着器２３の加熱ローラ２４への電力供給を行っている。また感光体８の表面を帯電するための帯電電位、現像スリーブ（図２参照）に印加する現像バイアス、転写ローラ１６に印加する転写バイアスなどのいわゆる高圧電源系もこの電源部に含まれている。エンジン制御部４２は電源部４３を制御することで、高圧電源のＯＮ／ＯＦＦのみならず出力電圧値や出力電流値を調整している。
【００５４】
また電源部４３には電源監視部４４が含まれ、少なくともエンジン制御部４２に供給される電源電圧、および電源部４３の出力電圧をモニタできるようになっている。このモニタ信号はエンジン制御部４２おいて検出され、電源スイッチのオフや停電などの際に発生する電源電圧の低下や、特に高圧電源の出力異常を検出している。
【００５５】
以上のように構成された画像形成装置１について、図１と図２を用いてその動作について説明する。
【００５６】
なお以降の説明において、画像形成装置１の構成および動作全般に関わる説明については主に図１を用い、現像ステーション２Ｙ〜２Ｋ、感光体８Ｙ〜８Ｋ、露光装置１３Ｙ〜１３Ｋのように色を区別して説明するが、露光や現像過程など単色に関わる説明については主に図２を用い、簡単のために現像ステーション２、感光体８、露光装置１３のように色を区別せずに説明する。
【００５７】
＜初期化動作＞
まず画像形成装置１に電源が投入された際の初期化動作について説明する。
【００５８】
電源が投入されるとエンジン制御部４２に搭載されたエンジン制御ＣＰＵ（図示せず）は画像形成装置１を構成する電気的リソース、即ち書込み／読出しが可能なレジスタ、メモリなどのエラーチェックを実行する。このエラーチェックが完了するとエンジン制御ＣＰＵ（図示せず）は駆動源３８の回転を開始する。上述したように駆動源３８によって給紙ローラ１８、レジストローラ１９、ピンチローラ２０、感光体８Ｙ〜８Ｋ、および転写ローラ１６を含む各現像ステーション２Ｙ〜２Ｋの周辺部、定着器２３、記録紙搬送ドラム３３、蹴り出しローラ３５が駆動される。ただし電源投入直後は記録紙３の搬送にかかわる給紙ローラ１８およびレジストローラ１９は、これらに駆動力を伝達する電磁クラッチ（図示せず）は直ちにＯＦＦに設定され、記録紙３を搬送することがないように制御されている。
【００５９】
以降図２を中心に説明を続ける。
【００６０】
駆動源３８（図１参照）の回転に伴って現像ステーション２の攪拌パドル７ａ、７ｂおよび現像スリーブ１０も回転を始め、これによって現像ステーション２に充填されたトナーとキャリアからなる現像剤６は現像ステーション２内を周回するとともに、トナーとキャリアの相互の摩擦によってトナーはマイナス電荷を付与される。
【００６１】
エンジン制御ＣＰＵ（図示せず）は駆動源３８（図１参照）の回転を開始して所定時間経過後に、電源部４３（図１参照）を制御して帯電器９をＯＮにする。帯電器９によって感光体８の表面は例えば−６５０Ｖの電位に帯電される。感光体８は方向Ｄ３に回転しており、エンジン制御ＣＰＵ（図示せず）は帯電領域が現像領域、即ち感光体８と現像スリーブ１０の最近接位置に到達した後に、電源部４３（図１参照）を制御して現像スリーブ１０に例えば−２５０Ｖの現像バイアスを印加する。このとき感光体８の表面電位は−６５０Ｖであり、現像スリーブ１０に印加された現像バイアスは−２５０Ｖであるから、電気力線は現像スリーブ１０から感光体８の方向を向き、マイナス電荷を有するトナーに作用するクーロン力は感光体８から現像スリーブ１０の方向となる。よってトナーは感光体８に付着することはない。
【００６２】
既に述べたように電源部４３（図１参照）には高圧電源の出力異常（例えばリークなど）をモニタする機能があり、エンジン制御ＣＰＵ（図示せず）は帯電器９や現像スリーブ１０に高電圧を印加した際の異常をチェックすることができる。
【００６３】
これら一連の初期化動作の最後に、又は後述するような所定の他のタイミングにおいて、エンジン制御ＣＰＵ９１（図７参照）は、露光装置１３の光量補正を実行する。エンジン制御部４２（図１参照）に搭載されたエンジン制御ＣＰＵ９１はコントローラ４１（図１参照）に対して光量補正用のダミーイメージ情報の作成要求を出力する。この作成要求に基づきコントローラ４１（図１参照）は光量補正用のダミーイメージ情報を生成し、これに基づいて露光装置１３を構成する有機エレクトロルミネッセンス素子は初期化の時点で実際に点灯制御される。
【００６４】
本発明に係る画像形成装置１は後に詳細に説明するように、複数の発光素子（有機エレクトロルミネッセンス素子）を列状に形成した発光素子列を設けた露光装置１３を有し、この露光装置１３によって像担持体である感光体８を露光して画像形成を行なう画像形成装置であって、発光素子（有機エレクトロルミネッセンス素子）の光量を設定する光量設定手段（上述のコントローラ４１に搭載されたコントローラＣＰＵ）と、発光素子（有機エレクトロルミネッセンス素子）の光量を計測する光量計測手段（上述の露光装置１３に設けられた光量センサ）を有する。
【００６５】
更に本発明に係る画像形成装置１は複数の発光素子（有機エレクトロルミネッセンス素子）を列状に形成した発光素子列を設けた露光装置１３と、この露光装置１３によって潜像が形成される感光体８と、この感光体８に形成された潜像を現像して顕画化する現像手段（現像ステーション２を構成する現像スリーブ１０）を有しており、これも後に詳細に説明するように、発光素子（有機エレクトロルミネッセンス素子）の光量を設定する光量設定手段（コントローラ４１に搭載されたコントローラＣＰＵ）と、発光素子（有機エレクトロルミネッセンス素子）の光量を計測する光量計測手段（上述の露光装置１３に設けられた光量センサ）を有する。
【００６６】
後述するような所定のタイミングにおいて、露光装置１３を構成する露光光源としての有機エレクトロルミネッセンス素子を発光させ、この光量を計測することで、光量ひいては感光体に対する露光量を補正しても感光体８にトナーは付着せずトナーを無駄に消費することはない。更に感光体８と接触回動する転写ローラ１６にトナーが付着し、初期化動作に引き続いて行なわれる画像形成において、転写ローラ１６に付着したトナーが記録紙３の裏面に付着して記録紙３を汚染することもなくなる。
【００６７】
この光量補正において有機エレクトロルミネッセンス素子を点灯することによって感光体８が露光された領域が現像スリーブ１０に近接し、いわゆる現像領域を通過する際、即ち有機エレクトロルミネッセンス素子の光量を計測する計測期間に露光された感光体８の領域に対しては現像スリーブ１０に印加する現像バイアスはＯＦＦにしておくことが望ましい。これによって更に効果的に感光体８へのトナー付着を防止することが可能となる。
【００６８】
＜画像形成動作＞
次に画像形成装置１の画像形成時の動作について引き続き図１に図２を併用して説明する。
【００６９】
コントローラ４１に外部からイメージ情報が転送されると、コントローラ４１はイメージ情報を印字可能な例えば２値画像データとしてイメージメモリ（図示せず）に展開する。イメージ情報の展開が完了するとコントローラ４１に搭載されたコントローラＣＰＵ（図示せず）はエンジン制御部４２に対して起動要求を発する。この起動要求はエンジン制御部４２に搭載されたエンジン制御ＣＰＵ（図示せず）によって受信され、起動要求を受信したエンジン制御ＣＰＵ（図示せず）は直ちに駆動源３８を回転させて画像形成の準備を開始する。
【００７０】
上述した過程を経て画像形成の準備が完了すると、エンジン制御部４２に搭載されたエンジン制御ＣＰＵ（図示せず）は、電磁クラッチ（図示せず）を制御して給紙ローラ１８を回転させ記録紙３の搬送を開始する。給紙ローラ１８は例えば全周の一部を欠いた半月ローラであって、記録紙３をレジストローラ１９の方向に搬送するとともに、一回転するとその回転を停止する。エンジン制御ＣＰＵ（図示せず）は搬送された記録紙３の先端が記録紙通紙センサ２１で検出すると、所定のディレイ期間を設けた上で電磁クラッチ（図示せず）を制御してレジストローラ１９を回転させる。このレジストローラの回転に伴って記録紙３は記録紙搬送路５に供給される。
【００７１】
エンジン制御ＣＰＵ（図示せず）は、このレジストローラ１９の回転を開始のタイミングを起点として、各露光装置１３Ｙ〜１３Ｋによる静電潜像の書込みタイミングをそれぞれ独立に制御する。静電潜像の書込みタイミングは画像形成装置１における色ずれなどに直接的に影響するため、この書込みタイミングはエンジン制御ＣＰＵ（図示せず）が直接発生させることはない。具体的にはエンジン制御ＣＰＵ（図示せず）は、図示しないハードウェアであるタイマなどに各露光装置１３による静電潜像の書込みタイミングを予め設定しておき、上述したレジストローラ１９の回転を起点として各露光装置１３Ｙ〜１３Ｋに対応するタイマの動作を同時に開始する。各タイマは予め設定された時間が経過すると、コントローラ４１に対して画像データ転送要求を出力する。
【００７２】
画像データ転送要求を受信したコントローラ４１のコントローラＣＰＵ（図示せず）は、コントローラ４１のタイミング生成部（図示せず）で生成されたタイミング信号（クロック信号、ライン同期信号など）に同期して２値画像データを各露光装置１３Ｙ〜１３Ｋに独立して転送する。このようにして２値画像データが露光装置１３Ｙ〜１３Ｋに送られ、この２値画像データに基づき露光装置１３Ｙ〜１３Ｋを構成する有機エレクトロルミネッセンス素子の点灯／消灯が制御され各色に対応した感光体８Ｙ〜８Ｋが露光される。
【００７３】
露光によって形成された潜像は、図２に示すように現像スリーブ１０上に供給された現像剤６に含まれるトナーによって顕画化される。顕画化された各色のトナー像は記録紙搬送路５を搬送されてきた記録紙３に順次転写される。４色のトナー像の転写を完了した記録紙３は定着器２３に搬送され、定着器２３を構成する過熱ローラ２４と加圧ローラ２５によって挟持搬送され、この熱と圧力によってトナー像は記録紙３に定着される。
【００７４】
形成されるべき画像が複数ページの場合は、エンジン制御ＣＰＵ（図示せず）は１ページ目の記録紙３の後端を記録紙通過検出センサ２１で検出した後、レジストローラ１９の回転を一旦停止し、所定の時間経過後に給紙ローラ１８を回転させて次の記録紙３の搬送を開始し、更に所定時間経過後に再度レジストローラ１９の回転を開始して、次のページの記録紙３を記録紙搬送路５に供給する。このようにレジストローラ１９の回転ＯＮ／ＯＦＦのタイミング制御によって、複数のページにわたって画像を形成する場合に記録紙３の間の紙間を設定することができる。この紙間による時間（以降紙間時間と呼称する）は画像形成装置１の仕様によっても異なるが、一般に５００ｍｓ程度を設定することが多い。もちろんこの紙間の期間には通常の画像形成動作（即ち露光装置１３による感光体８に対する露光動作）が行われることはない。
【００７５】
図３は本発明の実施形態の画像形成装置１における露光装置１３の構成図である。以降露光装置１３の構造について図３を用いて詳細に説明する。図３において５０は無色透明なガラス基板である。本実施形態ではガラス基板５０としてコスト的に有利なホウケイ酸ガラスを用いているが、発光素子やガラス基板５０上に薄膜トランジスタにより形成される制御回路、駆動回路などの発熱をより効率的に放熱する必要がある場合にはＭｇＯ、Ａｌ2Ｏ3、ＣａＯ、ＺｎＯなどの熱伝導度加成因子を含有するガラス、または石英を用いてもよい。
【００７６】
ガラス基板５０の面Ａには発光素子として有機エレクトロルミネッセンス素子が図面と垂直な方向（主走査方向）に６００ｄｐｉ（dot／inch）の解像度で形成されている。５１はプラスティックまたはガラスで構成される棒レンズ（図示せず）を列状に配置したレンズアレイであり、ガラス基板５０の面Ａに形成された有機エレクトロルミネッセンス素子の出射光を正立等倍の像として感光体８の表面に導く。レンズアレイ５１の一方の焦点はガラス基板５０の面Ａであり、もう一方の焦点は感光体８の表面となるようにガラス基板５０、レンズアレイ５１、感光体８の位置関係が調整されている。即ち面Ａからレンズアレイ５１の近い方の面までの距離Ｌ１と、レンズアレイ５１の他方の面と感光体８の表面までの距離Ｌ２とするとき、Ｌ１＝Ｌ２となるように設定される。
【００７７】
５２は例えばガラスエポキシ基板の上に電子回路を構成した中継基板である。５３ａはコネクタＡ、５３ｂはコネクタＢであり、中継基板５２には少なくともコネクタＡ ５３ａおよびコネクタＢ ５３ｂが実装されている。中継基板５２は例えばフレキシブルフラットケーブルなどのケーブル５６によって露光装置１３に外部から供給される画像データや光量補正データ、およびその他の制御信号をコネクタＢ ５３ｂを介して一旦中継し、これらの信号をガラス基板５０に渡す。
【００７８】
ガラス基板５０の表面にコネクタを直接実装することは接合強度や多様な環境における信頼性を考慮すると困難であるため、本実施形態では中継基板５２のコネクタＡ ５３ａとガラス基板５０との接続手段としてＦＰＣ（Flexible Printed Circuit；フレキシブルプリント回路）を採用し（図示せず）、ガラス基板５０とＦＰＣの接合は例えばＡＣＦ（Anisotropic Conductive Film；異方性導電フィルム）を用いて、予めガラス基板５０上に形成された例えばＩＴＯ（Indium Tin Oxide；錫ドープ酸化インジウム）電極に直接接続する構成としている。
【００７９】
一方コネクタＢ ５３ｂは、露光装置１３を外部と接続するためのコネクタである。一般的にＡＣＦなどによる接続は接合強度が問題となる場合が多いが、このように中継基板５２上にユーザが露光装置１３を接続するためのコネクタＢ ５３ｂを設けることで、ユーザが直接アクセスするインタフェースに十分な強度を確保することができる。
【００８０】
５４ａは筐体Ａであり金属板を例えば折り曲げ加工により成型したものである。筐体Ａ ５４ａの感光体８に対向する側にはＬ字状部位５５が形成されており、Ｌ字状部位５５に沿ってガラス基板５０およびレンズアレイ５１が配設されている。筐体Ａ ５４ａの感光体８側の端面とレンズアレイ５１の端面を同一面に合わせ、更に筐体Ａ ５４ａによってガラス基板５０の一端部を支持する構造とすることで、Ｌ字状部位５５の成型精度を確保すれば、ガラス基板５０とレンズアレイ５１の成す位置関係を精度よく合わせ込むことが可能となる。このように筐体Ａ ５４ａは寸法精度を要求されるため、金属にて構成することが望ましい。また筐体Ａ ５４ａを金属製とすることで、ガラス基板５０上に形成される制御回路およびガラス基板５０上に表面実装されるＩＣチップなどの電子部品へのノイズの影響を抑制することが可能である。
【００８１】
５４ｂは樹脂を成型して得られる筐体Ｂである。筐体Ｂ ５４ｂのコネクタＢ ５３ｂの近傍には切欠き部（図示せず）が設けられており、ユーザはこの切欠き部からコネクタＢ ５３ｂにアクセスが可能となっている。コネクタＢ ５３ｂに接続されたケーブル５６を介して既に説明したコントローラ４１（図１参照）から露光装置１３に画像データ、光量補正データ、クロック信号やライン同期信号などの制御信号、制御回路の駆動電源、発光素子である有機エレクトロルミネッセンス素子の駆動電源などが供給される。
【００８２】
図４（ａ）は本発明の実施形態の画像形成装置１における露光装置１３に係るガラス基板５０の上面図であり、図４（ｂ）は同要部拡大図である。以降図４に図３を併用して実施形態におけるガラス基板５０の構成について詳細に説明する。
【００８３】
図４においてガラス基板５０は厚みが約０．７ｍｍの、少なくとも長辺と短辺を有する長方形形状の基板であり、その長辺方向（主走査方向）には発光素子である複数の有機エレクトロルミネッセンス素子６３が列状に形成されている。実施形態ではガラス基板５０の長辺方向には少なくともＡ４サイズ（２１０ｍｍ）の露光に必要な有機エレクトロルミネッセンス素子６３が配置され、ガラス基板５０の長辺方向は後述する駆動制御部５８の配置スペースを含め２５０ｍｍとしている。また実施形態では簡単のためにガラス基板５０を長方形として説明するが、ガラス基板５０を筐体Ａ ５４ａに取り付ける際の位置決め用などのために、ガラス基板５０の一部に切り欠きを設けるような変形を伴っていてもよい。
【００８４】
５８はガラス基板５０の外部から供給される２値画像データ、光量補正データおよびクロック信号やライン同期信号などの制御信号を受け取り、これらの信号に基づいて有機エレクトロルミネッセンス素子６３の駆動を制御する駆動制御部であり、これらの信号をガラス基板５０の外部から受け取るインタフェース手段とインタフェース手段を介して受け取った制御信号に基づき有機エレクトロルミネッセンス素子６３の駆動を制御するＩＣチップ（ソースドライバ６１）を含んでいる。
【００８５】
６０は中継基板５２のコネクタＡ ５３ａとガラス基板５０とを接続するインタフェース手段としてのＦＰＣ（フレキシブルプリント回路）であり、コネクタなどを介さずガラス基板５０に設けられた図示しない回路パターンに直接接続されている。既に説明したように露光装置１３に外部から供給された、２値画像データ、光量補正データおよびクロック信号やライン同期信号などの制御信号、制御回路の駆動電源、発光素子である有機エレクトロルミネッセンス素子６３の駆動電源は、図３に示す中継基板５２を一旦経由した後にＦＰＣ６０を介してガラス基板５０に供給される。
【００８６】
６３は有機エレクトロルミネッセンス素子であり、露光装置１３における露光光源である。実施形態では有機エレクトロルミネッセンス素子６３は主走査方向に６００ｄｐｉの解像度で５１２０個が列状に形成されており、個々の有機エレクトロルミネッセンス素子６３はそれぞれ独立に後述のＴＦＴ回路によって点灯／消灯を制御される。
【００８７】
６１は有機エレクトロルミネッセンス素子６３の駆動を制御するＩＣチップとして供給されるソースドライバであり、ガラス基板５０上にフリップチップ実装されている。ガラス面へ表面実装を行なうことを考慮しソースドライバ６１はベアチップ品を採用している。ソースドライバ６１には露光装置１３の外部からＦＰＣ６０を介して電源、クロック信号、ライン同期信号などの制御関連信号および８ｂｉｔの光量補正データが供給される。ソースドライバ６１は有機エレクトロルミネッセンス素子６３に対する駆動電流設定手段である。より具体的には、有機エレクトロルミネッセンス素子６３の光量補正手段であり光量設定手段でもある、コントローラ４１（図１参照）に搭載されたコントローラＣＰＵ（図示せず）によって生成された光量補正データに基づいて、ソースドライバ６１は個々の有機エレクトロルミネッセンス素子６３を駆動するための駆動電流を設定する。光量補正データに基づくソースドライバ６１の動作については後に詳細に説明する。
【００８８】
ガラス基板５０においてＦＰＣ６０の接合部とソースドライバ６１は、例えば表面にメタルを形成したＩＴＯの回路パターン（図示せず）を介して接続されており、駆動電流設定手段たるソースドライバ６１にはＦＰＣ６０を介して光量補正データ、クロック信号、ライン同期信号などの制御信号が入力される。このようにインタフェース手段としてのＦＰＣ６０および駆動パラメータ設定手段としてのソースドライバ６１は駆動制御部５８を構成している。
【００８９】
６２はガラス基板５０上に形成されたＴＦＴ（Thin Film Transistor）回路である。ＴＦＴ回路６２はシフトレジスタ、データラッチ部など、有機エレクトロルミネッセンス素子６３の点灯／消灯のタイミングを制御するゲートコントローラ（図示せず）、および個々の有機エレクトロルミネッセンス素子６３に駆動電流を供給する駆動回路（図示せず、以降ピクセル回路と呼称する。）を含むとともに、さらには後述する光量センサ５７をＯＮ・ＯＦＦさせるスイッチング回路（選択信号発生回路１４０）を含んでいる。ピクセル回路は各有機エレクトロルミネッセンス素子６３に対して１つずつ設けられ、有機エレクトロルミネッセンス素子６３が形成する発光素子列と並列に設けられている。駆動パラメータ設定手段であるソースドライバ６１によって、個々の有機エレクトロルミネッセンス素子６３を駆動するための駆動電流値がこのピクセル回路に設定される。
【００９０】
ＴＦＴ回路６２を構成するゲートコントローラ（図示せず）には露光装置１３の外部からＦＰＣ６０を介して電源、クロック信号、ライン同期信号などの制御信号および２値画像データが供給され、ゲートコントローラ（図示せず）はこれらの電源および信号に基づいて個々の発光素子の点灯／消灯タイミングを制御する。ゲートコントローラおよびピクセル回路（ともに図示せず）の動作については後に図面を用いて詳細に説明する。また、ＴＦＴ回路６２のセンサ側の構成については後に詳述する。
【００９１】
６４は封止ガラスである。有機エレクトロルミネッセンス素子６３は水分の影響を受けると発光領域の経時的な収縮（シュリンキング）や、発光領域内に非発光部位（ダークスポット）が生じるなどして発光特性が極端に劣化するため、水分を遮断するための封止が必要である。実施形態ではガラス基板５０に接着剤を介して封止ガラス６４を貼り付けるベタ封止法を採用しているが、封止領域は一般に有機エレクトロルミネッセンス素子６３が構成する発光素子列から副走査方向に２０００μｍ程度が必要とされており、実施形態でも封止しろとして２０００μｍを確保している。
【００９２】
５７は、有機エレクトロルミネッセンス素子６３の図４（ｂ）における）上面に形成された光量センサである。この光量センサ５７によって個々の有機エレクトロルミネッセンス素子６３の光量が計測される。計測に際しては原則的には有機エレクトロルミネッセンス素子６３を一つ一つ個別に点灯して光量を計測する必要があるが、計測の対象となる有機エレクトロルミネッセンス素子６３から十分に離間した光量センサには、その発光の影響が殆どない（有機エレクトロルミネッセンス素子６３からの出射光が減衰してしまう）ことから、実施形態では光量センサ５７を複数の光量センサで構成することで複数の有機エレクトロルミネッセンス素子６３の光量を同時に計測することを可能としている。
【００９３】
本実施形態においては、有機エレクトロルミネッセンス素子６３、ＴＦＴ回路６２、光量センサ５７は、ポリシリコンのモノシリックデバイスとして、集積化して形成されている。すなわち、ＴＦＴ回路６２を構成する低温ポリシリコンの光透過率は比較的高いため、ガラス基板５０側から露光光を取り出すいわゆるボトムエミッション構成であっても、個々の有機エレクトロルミネッセンス素子６３と対応する光量センサ５７を、ＴＦＴ回路６２に隣接させ、埋設させることができる。この場合の光量センサは個々の有機エレクトロルミネッセンス素子６３の発光面の直下全面に形成されるが、その一部に対応して形成してもよい。
【００９４】
複数の光量センサ５７の出力は図示しない配線によって、既述したソースドライバ６１に入力される。後述する光量センサの出力（光量センサ出力）は、ソースドライバ６１において電荷蓄積法による電圧変換を施され、更に所定の増幅率で増幅された後にアナログ−ディジタル変換され、このディジタル変換後のディジタルデータ（以降、光量計測データと呼称する）が、ＦＰＣ６０、中継基板５２、ケーブル５６（ともに図３参照）を介して露光装置３３の外部に出力される。後に詳細に説明するように光量計測データはコントローラ４１（図１参照）に搭載されたコントローラＣＰＵ（図示せず）にて受信、処理されて８ｂｉｔの光量補正データが生成される。
【００９５】
図５は本発明の実施形態の画像形成装置１におけるコントローラ４１の構成を示すブロック構成図である。以降図５を用いてコントローラ４１の動作を説明するとともに、光量補正について更に詳細に説明する。
【００９６】
図５において８０はコンピュータである。コンピュータ８０はネットワーク８１に接続され、ネットワーク８１を経由してコントローラ４１にイメージ情報や印字枚数や印字モード（例えばカラー／モノクロ）などのプリントジョブ情報を転送する。８２はネットワークインタフェースである。コントローラ４１はネットワークインタフェース８２を介してコンピュータ８０から転送されたイメージ情報やプリントジョブ情報を受信し、イメージ情報を印字可能な２値画像データに展開するとともに、逆に画像形成装置側で検出されたエラー情報などをいわゆるステータス情報としてネットワーク８１経由でコンピュータ８０に送信する。
【００９７】
８３はコントローラＣＰＵであり、ＲＯＭ８４に格納されたプログラムに基づきコントローラ８０の動作を制御する。８５はＲＡＭでありコントローラＣＰＵ８３のワークエリアとして使用されるとともに、ネットワークインタフェース８２を介して受信したイメージ情報やプリントジョブ情報などが一時的に記憶される。
【００９８】
８６は画像処理部である。画像処理部８６ではコンピュータ８０から転送されたイメージ情報とプリントジョブ情報に基づき、ページ単位に画像処理（例えばプリンタ言語に基づくイメージ展開処理、色補正、エッジ補正、スクリーン生成など）を行って印字可能な２値画像データを生成し、これをページ単位にイメージメモリ６５に格納する。
【００９９】
６６は例えばＥＥＰＲＯＭなど書き換え可能な不揮発性メモリによって構成された光量補正データメモリである。
【０１００】
図６は本発明の実施形態の画像形成装置１における光量補正データメモリの内容を示す説明図である。
【０１０１】
以降図６を用いて光量補正データメモリにおけるデータ構造およびデータの内容について説明する。
【０１０２】
図６に示すように光量補正データメモリ６６は第１エリアから第３エリアの三つの領域を有している。それぞれの領域は露光装置１３（図３参照）を構成する有機エレクトロルミネッセンス素子６３（図４参照）の個数と等しい５１２０個の８ｂｉｔのデータを含み、合計１５３６０バイトを占有している。
【０１０３】
まず第１エリアに格納されているデータＤＤ［０］〜ＤＤ［５１１９］について図６に図３と図４を併用して説明する。
【０１０４】
既に説明した露光装置１３（図３参照）は、その製造工程において露光装置１３を構成する個々の有機エレクトロルミネッセンス素子６３（図４参照）の光量を調整する工程を含んでいる。この工程において露光装置１３は所定の治具（図示せず）に取り付けられ、露光装置１３の外部から供給される制御信号に基づいて、有機エレクトロルミネッセンス素子６３が個別に点灯制御される。
【０１０５】
更に治具（図示せず）に設けられたＣＣＤカメラによって、感光体８（図３参照）の像面位置における個々の有機エレクトロルミネッセンス素子６３の二次元の露光量分布が計測される。治具（図示せず）はこの露光量分布に基づき感光体８上に形成される潜像の電位分布を計算し、更に実際の現像条件（現像バイアス値）に基づいてトナー付着量との相関が高い潜像断面積を計算する。治具（図示せず）では有機エレクトロルミネッセンス素子６３を駆動するための駆動電流値を変化させ｛既に説明したようにソースドライバ６１（図４参照）を介してＴＦＴ回路６２（図４参照）を構成するピクセル回路にアナログ値をプログラムすることで有機エレクトロルミネッセンス素子６３を駆動する電流値を設定することができる。｝個々の有機エレクトロルミネッセンス素子６３によって形成される潜像断面積のどれもが略等しくなるような駆動電流値、即ちピクセル回路への設定値（制御する観点からはソースドライバ６１への設定データ）を抽出する。
【０１０６】
さて有機エレクトロルミネッセンス素子６３の発光面積および発光面内における発光光量分布が等しく、かつ通常の現像条件を想定した場合、上述の潜像断面積は露光量とほぼ比例する。更に「露光時間を一定としたときの（発光）光量」と「露光量」は同義であり、また一般的に有機エレクトロルミネッセンス素子６３の発光光量と駆動電流値（即ちピクセル回路への設定値）は比例するから、全てのピクセル回路への駆動電流設定を同一とした上で個々の有機エレクトロルミネッセンス素子６３の発光光量を一度計測することで、各有機エレクトロルミネッセンス素子６３による潜像断面積を一定にするピクセル回路への設定値（前述のごとくソースドライバ６１への設定データ）を計算によって求めることも可能である。
【０１０７】
光量補正データメモリ６６の第１エリアには、このようにして求めたソースドライバ６１への設定データが格納されている。その個数は前述のごとく露光装置１３を構成する有機エレクトロルミネッセンス素子６３の個数と等しい（即ちピクセル回路の個数とも等しい）５１２０個である。このように光量補正データメモリ６６の第１エリアには「初期状態において個々の有機エレクトロルミネッセンス素子６３によって形成される潜像断面積を等しくするためのソースドライバ６１の設定値」が格納されている。
【０１０８】
次に第２エリアに格納されているデータＩＤ［０］〜ＩＤ［５１１９］について図６に図３と図４を併用して説明する。
【０１０９】
治具は第１エリアに格納されるデータを取得するとの同時に、露光装置１３のソースドライバ６１（図４参照）を介して光量センサ５７（図４参照）の出力に基づく８ｂｉｔの光量計測データを取得する。これによって「初期状態において個々の有機エレクトロルミネッセンス素子６３によって形成される潜像断面積を等しくした際の光量計測データ」を取得できる。第２エリアにはこの８ｂｉｔの光量計測データＩＤ［ｎ］が格納されている。
【０１１０】
さて治具によってＩＤ［ｎ］を取得する際の有機エレクトロルミネッセンス素子６３の駆動条件は、光量計測時と同等にしておく必要があり、実施形態では後述するように画像形成装置１の１ライン期間（ラスタ期間）である３５０μｓを複数回適用して総計約３０ｍｓの点灯期間を付与している。
【０１１１】
このようにして露光装置１３の製造工程において第１エリアおよび第２エリアに格納されるデータが取得され、これらのデータは図示しない電気的な通信手段によって治具から光量補正データメモリ６６に書き込まれる。
【０１１２】
次に第３エリアに格納されているデータＮＤ［０］〜ＮＤ［５１１９］について図６に図３と図４および図５を併用して説明する。
【０１１３】
本発明の実施形態に係る画像形成装置１は、光量計測手段としての光量センサ５７による計測結果に基づき、有機エレクトロルミネッセンス素子６３の各々の光量を略等しく補正する光量補正手段（光量補正部）｛コントローラＣＰＵ８３（図５参照）｝を有し、この光量補正手段の出力に基づいて、光量設定手段（同じくコントローラＣＰＵ８３）は画像形成を行なう際の各有機エレクトロルミネッセンス素子６３の光量を設定する。第３エリアには光量補正手段たるコントローラＣＰＵ８３によって画像形成を行なう際の各有機エレクトロルミネッセンス素子６３の光量の設定値、即ち光量補正データが書き込まれる。
【０１１４】
実施形態の画像形成装置１では、画像形成装置１の初期化動作、画像形成動作の起動時、紙間、画像形成動作の完了時など、後述するような所定のタイミングにおいて、露光装置１３を構成する有機エレクトロルミネッセンス素子６３の光量を計測することは既に述べたとおりである。コントローラＣＰＵ８３はこれらの時点で計測された光量計測データと、露光装置１３の製造工程において第１エリアに格納された「初期状態において個々の有機エレクトロルミネッセンス素子６３によって形成される潜像断面積を等しくするためのソースドライバ６１の設定値」と、同じく露光装置１３の製造工程において第２エリアに格納された「初期状態において個々の有機エレクトロルミネッセンス素子６３によって形成される潜像断面積を等しくした際の光量計測データ」とに基づいて光量補正データを生成する。すなわち、コントローラＣＰＵ８３は、光量センサ５７によって検出された有機エレクトロルミネッセンス素子６３の光量を参照し、当該素子の光量を補正する光量補正部として機能する。
【０１１５】
以降コントローラＣＰＵ８３による光量補正データの計算内容について説明するが、本発明のポイントを明確にするため、まず光量計測時の光量を画像形成時と等しくしたと想定して説明する。
【０１１６】
第１エリアに格納された「初期状態において個々の有機エレクトロルミネッセンス素子６３によって形成される潜像断面積を等しくするためのソースドライバ６１の設定値」をＤＤ［ｎ］（ｎは主走査方向における個々の有機エレクトロルミネッセンス素子番号、以下同じ）、第２エリアに格納された「初期状態において個々の有機エレクトロルミネッセンス素子６３によって形成される潜像断面積を等しくした際の光量計測データ」をＩＤ［ｎ］、初期化動作などにおいて新たに計測された光量計測データをＰＤ［ｎ］とするとき、第３のエリアに書き込まれる新たな光量補正データＮＤ［ｎ］は（数１）に基づきコントローラＣＰＵ８３によって生成される。尚、光量計測データＩＤ［ｎ］は、計測された有機エレクトロルミネッセンス素子の光量に該当するが、光量補正データＮＤ［ｎ］は、ソースドライバ６１に設定される個々の素子に流される電流値に該当する。
【０１１７】
【数１】
2007283596.tif 000003
【０１１８】
このようにして生成された光量補正データＮＤ［ｎ］は一旦光量補正データメモリ６６（図５参照）の第３エリアに書き込まれる。以降画像形成に先立って光量補正データＮＤ［ｎ］は光量補正データメモリ６６からイメージメモリ６５（図５参照）の所定の領域にコピーされる。画像を形成するにあたってイメージメモリ６５にコピーされた光量補正データＮＤ［ｎ］は、２値画像データとともに後述するバッファメモリ８８（図５参照）に一時的に蓄積され、プリンタインタフェース８７（図５参照）を介してエンジン制御部４２（図５参照）に出力される。
【０１１９】
光量計測データはソースドライバ６１において電荷蓄積法による電圧変換を施される。電荷蓄積法はＳＮ比を向上させるために有効であるが、光量センサ５７（図４参照）の出力（電流値）は微小であるため、電荷蓄積にはある程度の蓄積時間を必要とする。これについては後述する。
【０１２０】
以降図５に戻って説明を続ける。
【０１２１】
８８はバッファメモリであり、イメージメモリ６５に格納された２値画像データおよび前述の光量補正データは、エンジン制御部４２への転送にあたって一旦バッファメモリ８８に蓄積される。バッファメモリ８８はイメージメモリ６５からバッファメモリ８８への転送速度と、バッファメモリ８８からエンジン制御部４２へのデータ転送速度の差を吸収するため、いわゆるデュアルポートＲＡＭによって構成されている。
【０１２２】
８７はプリンタインタフェースである。イメージメモリ６５に格納されたページ単位の２値画像データおよび光量補正データは、タイミング生成部６７が生成するクロック信号やライン同期信号と同期してプリンタインタフェース８７を介してエンジン制御部４２に転送される。
【０１２３】
図７は本発明の実施形態の画像形成装置１におけるエンジン制御部４２の構成を示すブロック構成図である。以降図７に図１を併用してエンジン制御部４２の動作を詳細に説明する。
【０１２４】
図７において９０はコントローラインタフェースである。コントローラインタフェース９０は、コントローラ４１から転送される光量補正データ、ページ単位の２値画像データなどを受信する。
【０１２５】
９１はエンジン制御ＣＰＵであり、ＲＯＭ９２に格納されたプログラムに基づき画像形成装置１における画像形成動作を制御している。９３はＲＡＭでありエンジン制御ＣＰＵ９１が動作する際のワークエリアとして使用される。９４はＥＥＰＲＯＭなどのいわゆる書き換え可能な不揮発性メモリである。不揮発性メモリ９４には例えば画像形成装置１の感光体８の回転時間、定着器２３（図１参照）の動作時間など、構成要素の寿命に関する情報が格納されている。
【０１２６】
９５はシリアルインタフェースである。記録紙通過検出センサ２１（図１参照）や記録紙後端検出センサ２８（図１参照）などのセンサ群からの情報や電源監視部４４（図１参照）の出力は、図示しないシリアル変換手段によって所定の周期のシリアル信号に変換され、シリアルインタフェース９５で受信される。シリアルインタフェース９５で受信されたシリアル信号はパラレル信号に変換された後にバス９９を介してエンジン制御ＣＰＵ９１に読取られる。
【０１２７】
一方給紙ローラ１８や駆動源３８（ともに図１参照）の起動・停止、給紙ローラ１８（図１参照）に対する駆動力伝達を制御する電磁クラッチ（図示せず）などのアクチュエータ群９６に対する制御信号や、現像バイアス、転写バイアス、帯電電位などの電位設定を管理する高圧電源制御部９７に対する制御信号などは、パラレル信号としてシリアルインタフェース９５に送られる。シリアルインタフェース９５ではパラレル信号をシリアル信号に変換してアクチュエータ群９６、高圧電源制御部９７に出力する。このように実施形態では高速に検出する必要のないセンサ入力やアクチュエータ制御信号の出力は全てシリアルインタフェース９５を介して行っている。一方ある程度の高速性が要求される例えばレジストローラ１９を駆動／停止させるための制御信号はエンジン制御ＣＰＵ４２の出力端子に直接接続されている。
【０１２８】
９８はシリアルインタフェース９５に接続された操作パネルである。ユーザが操作パネル９８に対して行なった指示はシリアルインタフェース９５を介してエンジン制御ＣＰＵ９１によって認識される。尚、実施形態ではユーザの指示を入力する指示入力手段としての操作パネルを有し、この操作パネルへの入力に基づいて、露光装置１３を構成する有機エレクトロルミネッセンス素子６３の光量を計測し、光量を補正するようにしてもよい。この指示は外部のコンピュータなどからコントローラ４１を経由して与えることももちろん可能である。具体的な使用態様としては、例えば大量の印字を行なった際にユーザが印字面に濃度ムラを発見したような場合に、ユーザが光量の補正を強制的に行なって画質確保を図るような場合が想定される。画像形成装置１が待機中であればユーザはいつでも強制的な光量補正の実行を指示することが可能であるし、画像形成時であっても画像形成装置１をオフラインに遷移させ画像形成を一時的に保留することで、ユーザは光量補正の実行を指示することができる。
【０１２９】
いずれにしても指示手段としての操作パネル９８などから光量の補正要求が入力されると、エンジン制御ＣＰＵ９１は＜初期化動作＞で説明したように、画像形成装置１の構成要素の駆動を開始し、コントローラ４１に対して光量補正用のダミーイメージ情報の作成要求を出力する。この要求に基づきコントローラ４１に搭載されたコントローラＣＰＵ８３は光量補正用のダミーイメージ情報を生成し、これに基づいて露光装置１３を構成する有機エレクトロルミネッセンス素子６３は点灯制御される。このときに上述した露光装置１３に設けられた光量センサ５７で、個々の有機エレクトロルミネッセンス素子６３の光量を検出し、この光量の検出結果に基づいて個々の有機エレクトロルミネッセンス素子６３の光量が略等しくなるように光量の補正を行なう。
【０１３０】
次に有機エレクトロルミネッセンス素子６３の光量を計測する際の動作について、図７に図１、図５および図６を併用して詳細に説明する。
【０１３１】
光量の補正は、後述するように画像形成装置１の起動直後の初期化動作、印字開始前、紙間、印字開始後、操作パネル９８などによるユーザ指定時のタイミングで行なわれるが、簡単のために画像形成装置１の初期化動作時点で光量の計測を実行する場合について説明する。また実施形態の画像形成装置１はフルカラー画像を形成可能に構成されたものであり、既に説明したように４色に対応した露光装置１３Ｙ〜１３Ｋ（図１参照）を有しているが、これも簡単のために１色に対する動作のみを説明し、露光装置１３のように記載する。また以下に示す状況において例えば駆動源３８（図１参照）や現像ステーション２（図２参照）などは、＜初期化動作＞にて既に詳細を示したように既に起動されているものとする。
【０１３２】
画像形成装置１において画像形成動作を管理しているのはエンジン制御部４２であるため、光量の補正シーケンスはエンジン制御部４２のエンジン制御ＣＰＵ９１によって起動される。まずエンジン制御ＣＰＵ９１はコントローラ４１に対して、画像形成に係る正規の２値画像データとは異なるダミーイメージ情報の作成要求を出力する。
【０１３３】
エンジン制御部４２とコントローラ４１は双方向のシリアルインタフェース（図示せず）で接続されており、リクエストコマンド（要求）およびこれに対するアクノリッジ（応答情報）を相互にやり取りすることができる。エンジン制御ＣＰＵ９１が発するダミーイメージ情報の作成要求は、この双方向のシリアルインタフェース（図示せず）を用いてバス９９を経由しコントローラインタフェース９０からコントローラ４１に出力される。
【０１３４】
この要求に基づいてコントローラ４１に搭載されたコントローラＣＰＵ８３はダミーイメージ情報、即ち光量の計測に用いる２値画像データをイメージメモリ６５に直接的に作成する。更にコントローラＣＰＵ８３は光量補正データメモリ６６の第１エリア（図６参照）に格納された「初期状態において個々の有機エレクトロルミネッセンス素子６３によって形成される潜像断面積を等しくするためのソースドライバ６１の設定値」ＤＤ［ｎ］（ｎ：０〜５１１９）を読出し、この値をイメージメモリ６５の所定領域に書き込む。これらの処理を完了するとコントローラＣＰＵ８３はプリンタインタフェース８７を介して応答情報をエンジン制御部４２に出力する。
【０１３５】
さて上述の応答情報を受信したエンジン制御部４２のエンジン制御ＣＰＵ９１は、直ちに露光装置１３に対して書込みタイミングを設定する。即ちエンジン制御ＣＰＵ９１は図示しないハードウェアであるタイマなどに露光装置１３による静電潜像の書込みタイミングを設定し、応答情報を受信したら直ちにタイマの動作を開始する（この機能はもともと複数の露光装置１３の色毎の起動タイミングを定めるためのものである。光量の計測においてはこのような厳密なタイミング設定は不要であり、例えばタイマに０を設定してもよい）。各タイマは予め設定された時間が経過すると、コントローラ４１に対して画像データ転送要求を出力する。画像データ転送要求を受信したコントローラ４１はコントローラインタフェース９０を介してタイミング生成部６７で生成されたタイミング信号（クロック信号、ライン同期信号など）に同期して２値画像データを露光装置１３に転送する。これと同時に既にイメージメモリ６５に書き込まれた光量の設定値も上述のタイミング信号に同期して露光装置１３に転送される。
【０１３６】
このようにタイミング信号に同期して転送された２値画像データは露光装置１３のＴＦＴ回路６２に入力され、同時に光量の設定値は露光装置１３のソースドライバ６１に入力される。露光装置１３では入力された２値画像データ、即ちＯＮ／ＯＦＦ情報に基づいて該当する有機エレクトロルミネッセンス素子６３の点灯と消灯が制御される。そしてこのときの個々の有機エレクトロルミネッセンス素子６３の光量は光量センサ５７で計測される。
【０１３７】
以上述べたようにして有機エレクトロルミネッセンス素子６３の点灯が制御され、その光量が光量センサ５７によって計測される。光量センサ５７の出力（アナログ電流値）はソースドライバ６１において電荷蓄積法によって電圧に変換され、所定の増幅率で増幅された後、アナログ−ディジタル変換を施されて８ｂｉｔの光量計測データ（ディジタルデータ）としてソースドライバ６１から出力される。
【０１３８】
ソースドライバ６１から出力された光量計測データはコントローラインタフェース９０を経由してエンジン制御部４２からコントローラ４１に転送され、コントローラ４１のコントローラＣＰＵ８３によって受信される。
【０１３９】
図８は本発明の実施形態の画像形成装置１における露光装置１３の回路図である。以降図８を用いてＴＦＴ回路６２およびソースドライバ６１による点灯制御についてより詳細に説明する。尚、本図では、便宜上、ソースドライバ６１がＴＦＴ回路６２の長手方向（主走査方向）の横に描かれているが、実際は（物理的には）、図４に示したように、ソースドライバ６１はＴＦＴ回路６２の下側における主走査方向の略中央部に配置されている。後述する図１０、図１３においても同様である。
【０１４０】
ＴＦＴ回路６２はピクセル回路６９とゲートコントローラ６８とに大別されている。ピクセル回路６９は個々の有機エレクトロルミネッセンス素子６３に対して一つずつ設けられており、有機エレクトロルミネッセンス素子６３のＭ画素分を一つのグループとしてガラス基板５０上にＮグループ設けられている。
【０１４１】
実施形態においては一つのグループを８画素（即ちＭ＝８）とし、このグループを６４０個（即ちＮ＝６４０）としている。従って全画素数は８×６４０＝５１２０画素となる。各ピクセル回路６９は有機エレクトロルミネッセンス素子６３に電流を供給して駆動するドライバ部７０と、有機エレクトロルミネッセンス素子６３を点灯制御するにあたってドライバが供給する電流値（即ち有機エレクトロルミネッセンス素子６３の駆動電流値）を内部に含むコンデンサに記憶させる、いわゆる電流プログラム部７１を有しており、予め所定のタイミングでプログラムされた駆動電流値に従って有機エレクトロルミネッセンス素子６３を定電流駆動することができる。
【０１４２】
ゲートコントローラ６８は、入力するクロック信号等（図示せず）に基づき、有機エレクトロルミネッセンス素子６３の駆動電流を設定する電流プログラム期間のタイミングを制御するＳＣＡＮ＿Ａ信号と、有機エレクトロルミネッセンス素子６３の点灯／消灯を制御するＳＣＡＮ＿Ｂ信号を出力する。図１６にタイミングチャートの一例を示す。
【０１４３】
ＮＨＳＹＮＣは、１ラインの期間を表す基準信号である。前述したように、実施形態においては、１つのグループを８画素としたので、１ラインの期間内でソースドライバ６１の１つの出力から８画素に対して順次選択的にプログラム動作を行うために、ＳＣＡＮ＿Ａ信号は計８本の信号（ＳＣＮＡ＿Ｇ１〜ＳＣＮＡ＿Ｇ８）で構成され、図１６のようにそれぞれのＳＣＡＮ＿Ａ信号はＯＮするタイミングがずれた状態で制御される。ＳＣＡＮ＿Ｂ信号についてもＳＣＡＮ＿Ａ信号と同様に８本（ＳＣＮＢ＿Ｍ１〜ＳＣＮＢ＿Ｍ８）で構成され、ＳＣＮＢ＿Ｍ１はＳＣＮＡ＿Ｇ１信号がＯＦＦの期間（すなわち、プログラム動作期間以外）でＯＮする。ＳＣＮＢ＿Ｍ２〜ＳＣＮＢ＿Ｍ８について同様に、対応するＳＣＡＮ＿Ａ信号がＯＦＦの期間（すなわち、プログラム動作期間以外）でＯＮする。ＳＣＡＮ＿Ａ信号及びＳＣＡＮ＿Ｂ信号によって、露光装置１３内の全発光素子が図９を用いて後で説明するように、プログラム動作と発光制御動作を所定の期間を使って繰返し行うことで発光／消灯が制御される。
【０１４４】
一方ソースドライバ６１は内部に有機エレクトロルミネッセンス素子６３のグループ数Ｎに相当する数（実施形態では６４０個）のＤ／Ａコンバータ７２を有している。ソースドライバ６１はＦＰＣ６０を介して供給された８ｂｉｔの光量補正データに基づいて、個々の有機エレクトロルミネッセンス素子６３に対する駆動電流を設定する。
【０１４５】
図９は本発明の実施形態の画像形成装置１における露光装置１３に係る電流プログラム期間と有機エレクトロルミネッセンス素子６３の点灯期間を示す説明図である。以降図９に図８を併用して実施形態の点灯制御について更に詳細に説明する。以降説明を簡単にするために８画素から成る一つの画素グループ（例えば図９の「主走査方向における画素番号」＝１〜８）について説明を行なう。
【０１４６】
実施形態では露光装置１３の１ライン期間（ラスタ期間）は３５０μｓに設定されており、この１ライン期間のうち１／８（４３．７７μｓ）を電流プログラム部７１に形成されたコンデンサに対し駆動電流値を設定するプログラム期間として当てている。
【０１４７】
まずゲートコントローラ６８（図８参照）は画素番号＝１の画素に対してＳＣＡＮ＿Ａ信号をＯＮに、ＳＣＡＮ＿Ｂ信号をＯＦＦにしてプログラム期間を設定する。プログラム期間にソースドライバ６１（図８参照）に内蔵されたＤ／Ａコンバータ７２には８ｂｉｔの光量補正データが供給されており、この供給されたディジタルデータをＤ／Ａ変換したアナログレベル信号によって電流プログラム部７１（図８参照）のコンデンサが充電される。これによって電流プログラム部７１に形成されたコンデンサには、画像データに対応して、有機エレクトロルミネッセンス素子６３に供給する電流を決めるアナログ値が１ライン期間の都度、毎回書き込まれる。
【０１４８】
プログラム期間が完了するとゲートコントローラ６８（図８参照）は直ちにＳＣＡＮ＿Ａ信号をＯＦＦに、ＳＣＡＮ＿Ｂ信号をＯＮに切り替えて点灯期間を設定する。画像データがＯＦＦの場合、有機エレクトロルミネッセンス素子６３を消灯状態にするために、ソースドライバ６１の出力電流が０となるようＤ／Ａコンバータ７２へのデータ設定行い、この状態で電流プログラム動作を行う。このプログラム動作によって、有機エレクトロルミネッセンス素子６３に供給する電流を０にできるので、ＳＣＡＮ＿Ｂ信号がＯＮしても有機エレクトロルミネッセンス素子６３に電流は流れないので発光しない。
【０１４９】
一方画像データがＯＮの場合、８ｂｉｔの光量補正データに基づくアナログ値をＤ／Ａコンバータ７２へ設定し、ソースドライバ６１の出力電流によって有機エレクトロルミネッセンス素子６３に供給する電流のプログラム動作を行う。そして、ＳＣＡＮ＿Ａ信号をＯＦＦした後、ＳＣＡＮ＿Ｂ信号をＯＮに切り替えて、有機エレクトロルミネッセンス素子６３は残りの３０６．２５μｓ（３５０μｓ−４３．７５μｓ）の期間、点灯する（実際は制御信号の切り替わり時間が存在するため発光時間は若干短くなる）。既に述べたように実施形態では有機エレクトロルミネッセンス素子６３の光量を計測する際は３０ｍｓの計測期間を想定しているから、光量計測時の点灯回数は例えば１００回（即ち１００ライン）となるように、コントローラ４１でダミーイメージ情報が生成されることとなる。
【０１５０】
一方、図９に示す画素番号＝１のピクセル回路６９（図８参照）に対するプログラム期間が終了すると、ゲートコントローラ６８（図８参照）は直ちに画素番号＝８のピクセル回路６９（図８参照）に対する電流プログラム期間を設定する。以降、画素番号１のピクセル回路に対する手順と同様に、画素番号８のピクセル回路に対するプログラム期間が完了すると直ちに当該画素番号の有機エレクトロルミネッセンス素子６３（図８参照）の点灯期間に移行する。
【０１５１】
このようにしてゲートコントローラ６８（図８参照）は主走査方向における画素番号＝「１→８→２→７→３→６→４→５→１．．．．」の順にプログラム期間と点灯期間を設定していく。このような点灯順序とすることで、隣接する画素グループ間において最も近い画素の点灯タイミングが時間的に近接するため、１ライン形成時の画像段差を目立たなくすることができる。
【０１５２】
ゲートコントローラ６８（図８参照）が制御する電流プログラム期間においては、ピクセル回路６９（図８参照）に光量補正データに従った電流値を供給して、ピクセル回路６９（図８参照）内のコンデンサをいわゆる定電流源にて充電することになり、充電に必要な時間は（数２）となる。
【０１５３】
【数２】
2007283596.tif 000004
【０１５４】
（数２）によれば、充電時間は静電容量と比例しており、配線引き回しに伴う配線容量の増大によって静電容量Ｃが大きくなると充電時間が大きくなってしまう。さらに、実際には配線抵抗等の影響で、充電時間が決定されるところの電圧波形は、時定数に応じたなまり成分を有する波形になる。よって充電波形は、定電流的に変化する部分（略直線的）と定電圧的に変化する部分（1次曲線）が合成されたような波形となる。すなわち、（数２）には直接現れていないものの、充電時間（遅延）は実際には配線抵抗にも影響される。
【０１５５】
＜ＥＬ駆動回路構成＞
次に本発明の主題であるＥＬ駆動回路構成の詳細について説明する。本発明においてはＥＬ駆動回路を含むＥＬ素子駆動装置の構成、特に駆動回路の一部である信号線の構造に工夫を凝らすことにより、プログラム信号線の配線負荷を低減している。このような工夫により、プログラム時間の短縮が達成され、画像形成装置の印字速度、印刷速度の更なる高速化を達成し得る。
【０１５６】
図１０は図８のうちＴＦＴ回路６２（ゲートコントローラ６８を除く）及びソースドライバ６１をより詳細に示したものである。ここで、ＴＦＴ回路全体を「ドライバ回路」と呼ぶが、エレクトロルミネッセンス素子６３各々を駆動する最小単位の回路であるピクセル回路６９も「ドライバ回路」と呼ばれる。または便宜的に「駆動エレメント６９」とも呼ぶことができ、以降は「駆動エレメント」の名称を用いる。駆動エレメント６９は、ＴＦＴ回路６２内で、実質的に一直線上に形成されている。
【０１５７】
ソースドライバ６１の１出力は、８画素分のプログラムを担っている。また、図８のゲートコントローラ６８から出力された発光制御信号線（ＳＣＮＢ＿Ｇ＊）は計８本の信号で、各画素の駆動エレメントに入力され、各画素の画像データに応じて所定のタイミングでＯＮ／ＯＦＦ動作が実行される。そして、毎ライン全ての画素にプログラムを実行し、各画素の発光を制御する。ここで、図１０のＳＣＮＢ＿Ｇ＊は、図８のＳＣＡＮ＿Ｂに対応する。また、図１０のＳＣＮＡ＿Ｇ＊は、プログラム制御信号線であって、図８のＳＣＡＮ＿Ａに対応する。また、ソースドライバ６１には６４０個のＤ／Ａコンバータ７２が搭載され、計６４０本のソースドライバ信号線がＴＦＴ回路６２に接続されている。すなわち、ＳＣＮＢ＿Ｇ＊とＳＣＮＡ＿Ｇ＊は、電気的にアクティブマトリクスを構成し、ＥＬ駆動回路は、アクティブマトリクス型の駆動回路構成を採る。
【０１５８】
図１１は、ドライバ回路の種々の信号線の配線上生じ得る問題を模式的に示した図である。図１０、図１１（ａ）に示すように、露光装置の主走査方向（素子６３の配列方向）には、ソースドライバ信号線ＳＤ＊と、発光制御信号線（ＳＣＮＢ＿Ｇ＊）と、プログラム制御信号線（ＳＣＮＡ＿Ｇ＊）が各々、配列されている。ドライバ信号線ＳＤ＊は、ソースドライバ（外部のＩＣ回路）６１に接続され、素子を駆動する駆動電流を入力する。発光制御信号線（ＳＣＮＢ＿Ｇ＊）は、有機エレクトロルミネッセンス素子６３のオン・オフを制御する。すなわち、有機エレクトロルミネッセンス素子６３のため、駆動エレメント６９の動作を制御する。プログラム制御信号線（ＳＣＮＡ＿Ｇ＊）は、駆動電流を設定する。すなわち、駆動エレメント６９に有機エレクトロルミネッセンス素子６３の駆動条件としての駆動電流を設定する。
【０１５９】
このような構成下においては、図１１（ａ）のＭ部を拡大した図１１（ｂ）に示すように、上記三種の信号線のうち、少なくとも二つが交差する箇所（クロスポイント）が不可避的に発生する。ここで図１１（ｂ）は、信号線１（たとえばソースドライバ信号線）が左右方向に延び、信号線２（たとえば発光制御信号線）が奥行き方向に延びている状態を示す。そして、両者の電気的接続を防止するため、絶縁膜が両信号線の間に形成されている。このようなクロスポイントにおいては、斜線領域Ｃで示すような擬似的な容量成分（擬似コンデンサ）の発生が引き起こされることとなる。このような擬似的容量成分が増加すると、個々のドライバ回路に対するプログラム時間の増加を招くこととなる。
【０１６０】
また、上記の問題とは別に、信号線の配線抵抗は配線長、配線幅等に依存することは周知の事実である。このような配線抵抗の増加によってもプログラム時間の増加が生ずることとなる。
【０１６１】
本発明では、上述したような容量成分、配線抵抗を低減することにより、プログラム時間を短縮し、画像形成装置の印字速度、印刷速度の更なる高速化を達成することを狙っている。以下本発明の種々の実施形態を説明する。尚、ガラス基板５０にＴＦＴ回路６２、所定の信号線が形成されることにより、発光素子を駆動する発光素子駆動装置が構成される。
【０１６２】
（第１の実施形態）
図１２及び図１３は、本発明の第１の実施形態を示す。本実施形態では、ソースドライバ６１の信号線（ソースドライバ信号線；ＳＤ＊）と、ゲートコントローラ６８からの信号線（発光制御信号線ＳＣＮＢ＿Ｇ＊及びプログラム制御信号線ＳＣＮＡ＿Ｇ＊）が、ＴＦＴ回路６２から見て、異なる方向から接続されている。ソースドライバ信号線と、発光制御信号線と、プログラム制御信号線は、第１〜第３の信号線を構成する。
【０１６３】
すなわち図示した実施形態では、ソースドライバ信号線が、ＴＦＴ回路６２の下縁Ｌ側からＴＦＴ回路６２に接続されている（Ａ方向接続）。一方、発光制御信号線ＳＣＮＢ＿Ｇ＊及びプログラム制御信号線ＳＣＮＡ＿Ｇ＊は、ＴＦＴ回路６２の上縁Ｕ側からＴＦＴ回路６２に接続されている（Ｂ方向接続）。このような構成により、ソースドライバ信号線と発光制御信号線のクロスポイントの数、及びソースドライバ信号線とプログラム制御信号線のクロスポイントの数を減らすことができ、ドライバ回路全体の容量成分を減らすことができる。
【０１６４】
特に、本実施形態では、ソースドライバ信号線（第１の信号線）と、発光制御信号線又はプログラム制御信号線（第２又は第３の信号線）という二つの信号線が、ＴＦＴ回路６２の互いに相対する上縁と下縁という二つの縁部の方向から、各駆動エレメント６９に接続されている。すなわち、互いに逆方向から二種の信号線がドライバ回路に接続されるため、より確実に容量成分の発生を防止することができる。
【０１６５】
さらに本実施形態では、図１２の側面図及びそれを拡大した図１３から明らかなように、各有機エレクトロルミネッセンス素子６３が、ＴＦＴ回路６２内ではなく、ＴＦＴ回路６２の上方向に配置されている。このような配置は、例えば図示せぬ別基板に有機エレクトロルミネッセンス素子６３を形成することにより得られる。すなわち、有機エレクトロルミネッセンス素子６３の列からなるＥＬ素子列とＴＦＴ回路６２の間に、発光制御信号線又はプログラム制御信号線（第２又は第３の信号線）が配置されている。このような配置にすることにより、両者の交差を減らすことが可能となる。
【０１６６】
（第２の実施形態）
図１４は、本発明の第２の実施形態を示す。本実施形態では、図１１（ａ）の配線方法において、二つの信号線が交差するクロスポイントの面積を低減することのより容量成分を低減する。すなわち、図１４は、信号線１と信号線２のクロスポイント周辺の平面図を示すが、信号線１の幅（配線幅）が、信号線１における他の部分（クロスポイント以外の部分）の幅より相対的に小さく設定されている。言い換えると、少なくとも１つの信号線のクロスポイントにおける線幅は、クロスポイントの前方あるいは後方における線幅よりも小さく設定されている。
【０１６７】
ここで、二つの信号線としては、ソースドライバ信号線と、発光制御信号線と、プログラム制御信号線のうち任意の二つを選ぶことができる。また、交差する二つの信号線双方の幅を、狭くしても良い。
【０１６８】
信号線の幅を小さくしすぎると、配線抵抗が大きくなり、プログラム時間が長くなってしまうため、容量成分の減少と配線抵抗の増加の双方の見地から、クロスポイントにおける信号線の幅を決定することが好ましい。
【０１６９】
また、第１の実施形態による図１２の配線方法を採った場合も、本実施形態は適用可能である。図１２の構成においては、上述したようにソースドライバ信号線ＳＤ＊と、発光制御信号線ＳＣＮＢ＿Ｇ＊又はプログラム制御信号線ＳＣＮＡ＿Ｇ＊は交差せず、クロスポイントが発生することはない。しかしながら、ドライバ回路６２にはこれらの信号線のみならず、電源線やグランド線等図示せぬ他の種類の線が当然に引き回されている。例えば、図１３に示すように、電源線（Ｖｓ）とソースドライバ信号線ＳＤ＊の間でクロスポイントＣＰが生じ得る。従って、このような他の種類の線とソースドライバ信号線ＳＤ＊の間におけるクロスポイントで、図１４のような構成を採用することにより、本実施形態の効果は発揮される。
【０１７０】
（第３の実施形態）
図１５は、本発明の第３の実施形態を示す。本実施形態では、信号線の配線抵抗を均一化することにより、プログラム時間の短縮を図る。すなわち、信号源たるソースドライバ６１からの信号線長（配線）が長くなる程、配線抵抗は大きくなる。例えば、図１５のようにソースドライバ６１が、ＴＦＴ回路６２の主走査方向における中央に配置された場合、中央部よりも端部の信号線（ソースドライバ信号線）程配線長が長くなり、配線抵抗が増加する。従って、端部の画素に対するプログラム時間が、中央部の画素に対するプログラム時間よりも長くなる。すなわち、プログラム時間の最大値が、ヘッド全体のパフォーマンス（印字速度）を左右することとなる。
【０１７１】
そこで、本実施形態では、図１５に示すように、配線長が長くなる信号線程（中央部よりも端部の画素になる程）、配線幅を大きくする構成を採用する（線幅：Ｌ１＜Ｌ２＜Ｌ３）。これによって、ヘッド全体としてはソースドライバ信号線の配線抵抗がより均一化され、結果的にプログラム時間の短縮が図れることとなる。
【０１７２】
尚、図８等ではソースドライバ６１が、ＴＦＴ回路６２の主走査方向における中央ではなく、ＴＦＴ回路６２の側方（左側）に配置されている。この場合は、ソースドライバ６１からより遠い駆動エレメントに対する信号線ほど、その幅を大きくすれば良い。
【０１７３】
上述したように、本発明によれば印字速度、印刷速度のより高速化対応が図れることとなる。
【０１７４】
特に図１３の制御例では、ゲートコントローラ６８から出力された発光制御信号線（ＳＣＮＢ＿Ｇ＊）は計８本の信号で、各画素の駆動エレメントへは８画素置きに共通の発光制御信号が入力し、各画素の画像データによらず所定のタイミングでＯＮ／ＯＦＦ動作が実行される。そして、各ライン全ての画素にプログラムを実行し、各画素の発光を制御する。
【０１７５】
そして、本制御の様にＳＣＡＮ＿Ｂ信号（ＳＣＮＢ＿Ｇ＊）が、所定のグループ間で共通に使用されている信号の場合、画像データのＯＮ／ＯＦＦに応じて、プログラム電位（Ｖ）のチャージ／ディスチャージを行う必要があるため、ソース信号線間の浮遊容量やソースドライバからの配線長によって充電時間に大きな影響が与えられると考えられる。従って、上述した総ての実施形態を含む本発明は、このような制御例に対し適用した場合、よりその効果が発揮されると考えられる。もちろん、上述した実施形態を単独でのみならず、二つ以上の実施形態を組み合わせて採用することができる。
【０１７６】
尚、以上の実施形態では、駆動エレメントのコンデンサに発光素子を駆動する電流値を設定（電流プログラム）する、いわゆる電流制御方式を採用したものを例に挙げた。しかしながら、本発明は、駆動エレメントの回路構成を変更することで、発光素子を駆動する電圧値を設定（電圧プログラム）する、いわゆる電圧制御方式のものにも当然に適用可能である。
【０１７７】
また、図４において説明したように、本実施形態においては配線の便宜上、ＥＬ素子列及びＴＦＴ回路の下部（見方によっては上部）に、ソースドライバ６１が配置されている。図１７（ａ）は、図４と同じ例を模式的に示したものであるが、ソースドライバ６１はＴＦＴ回路６２の下側における主走査方向の略中央部（ＥＬ素子列の略中央部）に配置されている。言い換えると、ＥＬ素子列の略中央部に位置するよう、ソースドライバ６１をＴＦＴ回路６１に対し相対的に配置することが好ましい。
【０１７８】
この例はソースドライバ６１が１個の例であるが、図１７（ｂ）に、複数のソースドライバ６１を配置した例を示す。複数個の場合、ＥＬ素子列をソースドライバの数でブロック分割し、各素子ブロックの略中央部にソースドライバを各々配置することが望ましい。図１７（ｂ）の例では、三つのソースドライバ６１が配置され、三つの素子ブロック１〜３の各々の略中央部に配置されている。
【０１７９】
さて実施形態においては露光装置１３を構成する有機エレクトロルミネッセンス素子６３の点灯時間を一定とし、電流値を変化させることで、有機エレクトロルミネッセンス素子６３の光量を制御する構成を前提として説明してきたが、本発明は有機エレクトロルミネッセンス素子６３などの発光素子の駆動電流値を固定的に設定し、点灯時間を変化させて発光素子の光量を制御する、いわゆるＰＷＭ方式においても容易に適用できる。この場合は図６を用いて説明した第１エリアの内容を「潜像断面積を等しくするための駆動時間の設定値」と置き換えればよい。
【０１８０】
また露光装置によっては有機エレクトロルミネッセンス素子などによって構成された発光素子列を複数列有し、感光体の回転方向に対して略同じ位置に複数回の露光を行なうことで、潜像を形成するものも知られている。このような露光装置であっても複数回の露光によって形成される潜像が現像に寄与しないように光量やＰＷＭ時間を設定することで、本発明の技術的思想を適用することが可能となる。このような露光装置では単一の発光素子列では現像に寄与する潜像は形成されないから、例えば紙間において列単位で光量を計測するようなシーケンスが考えられる。
【０１８１】
また、実施形態ではＴＦＴ回路、有機エレクトロルミネッセンス素子と同じポリシリコンのモノシリックデバイスとして構成された光量センサを用いて有機エレクトロルミネッセンス素子６３の光量を計測しているが、本発明の技術的思想はこれに限定されるものではない。例えば、アモルファスシリコンにて複数のフィルム状の光量センサを構成し、ガラス基板５０の端面（図４参照）に沿って配置した構成に対しても、本発明は適用可能である。
【０１８２】
本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【０１８３】
以上のように本発明にかかる画像形成装置用の駆動回路を用いることにより、個々の画素を駆動するプログラム時間の短縮を図ることができ、安定した動作下での印字速度、印刷速度の更なる高速化を達成できることから、例えばプリンタ、複写機、ファクシミリ装置、フォトプリンタなどへの利用が可能である。
【図面の簡単な説明】
【０１８４】
【図１】本発明の基本実施形態の画像形成装置の構成図
【図２】同実施形態の画像形成装置における現像ステーションの周辺を示す構成図
【図３】同実施形態の画像形成装置における露光装置の構成図
【図４】（ａ）は同実施形態の画像形成装置における露光装置に係るガラス基板の上面図、（ｂ）は同要部拡大図
【図５】同実施形態の画像形成装置におけるコントローラの構成を示すブロック構成図
【図６】同実施形態の画像形成装置における光量補正データメモリの内容を示す説明図
【図７】同実施形態の画像形成装置におけるエンジン制御部の構成を示すブロック構成図
【図８】同実施形態の画像形成装置における露光装置の回路図
【図９】同実施形態の画像形成装置における露光装置に係る電流プログラム期間と有機エレクトロルミネッセンス素子の点灯期間を示す説明図
【図１０】ＴＦＴ回路及びソースドライバの関係を示す図
【図１１】ＴＦＴ回路の異なる信号線間における配線の関係を示す図
【図１２】本発明の第１の実施形態による信号線の配線を示す図。
【図１３】図１２の例におけるＴＦＴ回路及びソースドライバの関係を示す図
【図１４】本発明の第２の実施形態による信号線のクロスポイント周辺の構成を示す図
【図１５】本発明の第３の実施形態によるソースドライバ信号線の幅の変化を示す図
【図１６】ＥＬ駆動制御のタイミングチャート図
【図１７】ＴＦＴ回路及びソースドライバの配置関係を示す図
【符号の説明】
【０１８５】
１      画像形成装置
２，２Ｙ，２Ｍ，２Ｃ，２Ｋ  現像ステーション
３      記録紙
４      給紙トレイ
５      記録紙搬送路
６      現像剤
８，８Ｙ，８Ｍ，８Ｃ，８Ｋ  感光体
１０    現像スリーブ
１３，１３Ｙ，１３Ｍ，１３Ｃ，１３Ｋ  露光装置
１９    レジストローラ
２０    ピンチローラ
２１    記録紙通過検出センサ
４１    コントローラ
４２    エンジン制御部
４３    電源部
５０    ガラス基板
５１    レンズアレイ
５７    光量センサ
６１    ソースドライバ
６２    ＴＦＴ回路
６３    有機エレクトロルミネッセンス素子
６４    封止ガラス
６５    イメージメモリ
６６    光量補正データメモリ
６７    タイミング生成部
６８    ゲートコントローラ
６９    ピクセル回路（駆動エレメント）
７０    ドライバ部
７１    電流プログラム部
７２    Ｄ／Ａコンバータ
８０    コンピュータ
８３    コントローラＣＰＵ
８７    プリンタインタフェース
９０    コントローラインタフェース
９１    エンジン制御ＣＰＵ
９８    操作パネル
【図１】
2007283596.tif 000005
【図２】
2007283596.tif 000006
【図３】
2007283596.tif 000007
【図４】
2007283596.tif 000008
【図５】
2007283596.tif 000009
【図６】
2007283596.tif 000010
【図７】
2007283596.tif 000011
【図８】
2007283596.tif 000012
【図９】
2007283596.tif 000013
【図１０】
2007283596.tif 000014
【図１１】
2007283596.tif 000015
【図１２】
2007283596.tif 000016
【図１３】
2007283596.tif 000017
【図１４】
2007283596.tif 000018
【図１５】
2007283596.tif 000019
【図１６】
2007283596.tif 000020
【図１７】
2007283596.tif 000021